(57)【要約】【課題】過去の画像合成結果を後で利用することを可能とする画像合成装置を提供する。【解決手段】画像合成装置３は、素材画像選択手段１１、画像合成手段１２、画像合成結果出力手段１３、顔画像選択手段１４、顔輪郭抽出手段１５、画像合成履歴処理手段１８、素材画像４１及び画像合成履歴情報４３を保持する記憶部２３を備える。顔画像選択手段１４は、顔画像を取得する。顔輪郭抽出手段１５は、顔画像から画像合成用の顔輪郭画像を抽出する。素材画像選択手段１１は、素材画像を選択する。画像合成手段１２は、顔輪郭画像と素材画像とを合成して合成画像を作成する。画像合成結果出力手段１３は、画像合成結果を出力する。画像合成履歴処理手段１８は、記憶部２３の画像合成履歴情報４３に基づいて、画像合成履歴に関する処理を行う。画像合成システム１は、画像合成履歴情報４３に基づいて、画像合成結果の再表示、印刷、保存、削除を行う。【選択図】図１
2008060624.tif 000002
【特許請求の範囲】
【請求項１】
少なくとも１つの端末装置にネットワークを介して接続され画像合成を行う画像合成装置であって、
素材画像と画像合成結果を含む画像合成履歴とを保持する保持手段と、
前記端末装置の入力画像から輪郭を認識する輪郭認識手段と、
前記端末装置に前記輪郭の画像と合成する素材画像を選択させる素材画像選択手段と、
前記輪郭の画像と前記選択された素材画像とを画像合成する画像合成手段と、
前記端末装置に画像合成結果を出力する画像合成結果出力手段と、
前記端末装置に前記画像合成履歴を選択させる画像合成履歴選択手段と、
前記選択された画像合成履歴について、前記端末装置に所定の処理を実行させる画像合成履歴処理手段と、
を具備することを特徴とする画像合成装置。
【請求項２】
前記所定の処理は、前記画像合成結果の再表示または削除または保存または印刷の少なくともいずれかであることを特徴とする請求項１に記載の画像合成装置。
【請求項３】
前記画像合成履歴情報は、さらに、前記選択された素材画像を含むことを特徴とする請求項１または請求項２に記載の画像合成装置。
【請求項４】
前記画像合成履歴選択手段は、前記端末装置に前記画像合成履歴の一覧を表示させることを特徴とする請求項１から請求項３までのいずれかに記載の画像合成装置。
【請求項５】
素材画像と画像合成結果を含む画像合成履歴とを保持する保持手段と、
入力画像から輪郭を認識する輪郭認識手段と、
前記輪郭の画像と合成する素材画像を選択する素材画像選択手段と、
前記輪郭の画像と前記選択された素材画像とを画像合成する画像合成手段と、
画像合成結果を出力する画像合成結果出力手段と、
前記画像合成履歴を選択する画像合成履歴選択手段と、
前記選択された画像合成履歴について、所定の処理を実行する画像合成履歴処理手段と、
を具備することを特徴とする画像合成装置。
【請求項６】
前記所定の処理は、前記画像合成結果の再表示または削除または保存または印刷の少なくともいずれかであることを特徴とする請求項５に記載の画像合成装置。
【請求項７】
前記画像合成履歴情報は、さらに、前記選択された素材画像を含むことを特徴とする請求項５または請求項６に記載の画像合成装置。
【請求項８】
前記画像合成履歴選択手段は、前記画像合成履歴の一覧を表示することを特徴とする請求項５から請求項７までのいずれかに記載の画像合成装置。
【請求項９】
コンピュータを請求項１から請求項８までのいずれかに記載の画像合成装置として機能させるプログラム。
【請求項１０】
コンピュータを請求項１から請求項８までのいずれかに記載の画像合成装置として機能させるプログラムを記録したコンピュータ読取可能な記録媒体。
【発明の詳細な説明】
【技術分野】
【０００１】
本発明は、複数の画像を合成する画像合成装置に関する。
【背景技術】
【０００２】
従来、画像合成装置は、複数の画像を重畳することにより画像合成を行う。また、原画像の一部を合成用画像で置き換える画像合成装置がある（例えば、［特許文献１］参照。）。また、顔画像にヘアスタイル画像やドレス画像等の素材画像を合成する画像合成装置がある。この画像合成装置は、顔画像から顔輪郭を自動認識し、顔輪郭画像と素材画像とを画像合成して表示する。
【０００３】
【特許文献１】特開平９−１０２０２８号公報
【発明の開示】
【発明が解決しようとする課題】
【０００４】
しかしながら、従来の画像合成装置は、画像合成結果を画面上で確認した後、再度、異なる素材画像を用いて画像合成を行うと、前回の画像合成結果が失われるという問題点がある。過去に用いた素材画像で画像合成結果を確認したい場合には、再度、素材画像の選択をやり直す必要があるという問題点がある。また、複数の画像合成結果を比較することができないという問題点がある。
【０００５】
本発明は、以上の問題点に鑑みてなされたものであり、過去の画像合成結果を後で利用することを可能とする画像合成装置を提供することを目的とする。
【課題を解決するための手段】
【０００６】
前述した目的を達成するために第１の発明は、少なくとも１つの端末装置にネットワークを介して接続され画像合成を行う画像合成装置であって、素材画像と画像合成結果を含む画像合成履歴とを保持する保持手段と、前記端末装置の入力画像から輪郭を認識する輪郭認識手段と、前記端末装置に前記輪郭の画像と合成する素材画像を選択させる素材画像選択手段と、前記輪郭の画像と前記選択された素材画像とを画像合成する画像合成手段と、前記端末装置に画像合成結果を出力する画像合成結果出力手段と、前記端末装置に前記画像合成履歴を選択させる画像合成履歴選択手段と、前記選択された画像合成履歴について、前記端末装置に所定の処理を実行させる画像合成履歴処理手段と、を具備することを特徴とする画像合成装置である。
【０００７】
画像合成装置は、端末装置から取得した顔画像等の画像から顔輪郭等の輪郭を認識し、端末装置に輪郭の画像と合成する素材画像を選択させ、輪郭の画像と選択された素材画像とを画像合成し、端末装置に画像合成の結果を出力する。端末装置は、合成画像の表示や印刷や保存を行う。
画像合成装置は、画像合成結果を含む画像合成履歴を保持する。画像合成履歴は、さらに、選択された素材画像を保持するようにしてもよい。
画像合成装置は、端末装置に対して、画像合成履歴の一覧から画像合成履歴を選択させ、選択された画像合成履歴について、画像合成結果の再表示や削除や保存や印刷を実行させる。
【０００８】
第１の発明では、画像合成装置は、選択素材画像や画像合成結果を画像合成履歴（お気に入り結果）として保持するので、過去の画像合成結果を後で利用することができる。画像合成履歴の一覧から選択して、画像合成結果の再表示、画像合成結果の印刷、画像合成結果の画像データ保存、画像合成履歴の削除を行うことができる。また、異なる画像合成結果を同時に再表示して比較することができる。
【０００９】
第２の発明は、素材画像と画像合成結果を含む画像合成履歴とを保持する保持手段と、入力画像から輪郭を認識する輪郭認識手段と、前記輪郭の画像と合成する素材画像を選択する素材画像選択手段と、前記輪郭の画像と前記選択された素材画像とを画像合成する画像合成手段と、画像合成結果を出力する画像合成結果出力手段と、前記画像合成履歴を選択する画像合成履歴選択手段と、前記選択された画像合成履歴について、所定の処理を実行する画像合成履歴処理手段と、を具備することを特徴とする画像合成装置である。
第２の発明は、単体構成の画像合成装置に関する発明である。
【００１０】
第３の発明は、コンピュータを第１の発明または第２の発明の画像合成装置として機能させるプログラムである。
第４の発明は、コンピュータを第１の発明または第２の発明の画像合成装置として機能させるプログラムを記録したコンピュータ読取可能な記録媒体である。
上述のプログラムをＣＤ−ＲＯＭ等の記録媒体に保持させて流通させてもよいし、このプログラムを通信回線を介して送受することもできる。
【発明の効果】
【００１１】
本発明によれば、過去の画像合成結果を後で利用することを可能とする画像合成装置を提供することができる。
【発明を実施するための最良の形態】
【００１２】
以下、添付図面を参照しながら、画像合成装置の好適な実施形態について詳細に説明する。尚、以下の説明及び添付図面において、略同一の機能構成を有する構成要素については、同一の符号を付することにより重複説明を省略することにする。
【００１３】
（１．画像合成システム１の構成）
最初に、図１を参照しながら、画像合成システム１の構成について説明する。
図１は、画像合成システム１の構成図である。
画像合成システム１は、画像合成装置３、複数の端末装置５がネットワーク７を介して接続されて構成される。
【００１４】
画像合成装置３は、サーバコンピュータ等である。画像合成装置３は、素材画像選択手段１１、画像合成手段１２、画像合成結果出力手段１３、顔画像選択手段１４、顔輪郭抽出手段１５、画像合成履歴処理手段１８、素材画像４１及び画像合成履歴情報４３を保持する記憶部２３を備える。
【００１５】
素材画像選択手段１１は、画像合成に用いる素材画像を選択する。画像合成手段１２は、顔輪郭画像と素材画像とを合成して合成画像を作成する。画像合成結果出力手段１３は、画像合成結果である合成画像を出力する。顔画像選択手段１４は、撮像や画像読込により顔画像を取得する。顔輪郭抽出手段１５は、顔画像から顔輪郭を示す輪郭枠や中心軸を自動認識することにより、画像合成用の顔輪郭画像を抽出する。画像合成履歴処理手段１８は、記憶部２３の画像合成履歴情報４３に基づいて、画像合成履歴に関する処理を行う。
【００１６】
端末装置５は、パーソナルコンピュータ等である。通常、複数の端末装置５がネットワーク７に接続される。
ネットワーク７は、インターネット、ローカルエリアネットワーク（ＬＡＮ）、社内ＬＡＮ等のネットワークであり、有線、無線を問わない。
【００１７】
（２．ハードウェア構成）
次に、図２及び図３を参照しながら、画像合成装置３及び端末装置５のハードウェア構成について説明する。
【００１８】
（２−１．画像合成装置３）
図２は、画像合成装置３のハードウェア構成図である。
尚、図２のハードウェア構成は一例であり、用途、目的に応じて様々な構成を採ることが可能である。
【００１９】
画像合成装置３は、ＣＰＵ２１、メモリ２２、記憶部２３、表示部２４、入力部２５、出力部２６、通信部２７がシステムバス２８を介して接続されて構成される。
【００２０】
ＣＰＵ２１（Ｃｅｎｔｒａｌ  Ｐｒｏｃｅｓｓｉｎｇ  Ｕｎｉｔ）は、演算処理（四則演算や比較演算等）やハードウェアやソフトウェアの動作制御を行う装置である。
【００２１】
メモリ２２は、ＲＡＭ及びＲＯＭ等のメモリである。ＲＡＭ（Ｒａｎｄｏｍ  Ａｃｃｅｓｓ  Ｍｅｍｏｒｙ）は、ＲＯＭ（Ｒｅａｄ  Ｏｎｌｙ  Ｍｅｍｏｒｙ）や記憶部２３から読み出されたＯＳ（Ｏｐｅｒａｔｉｎｇ  Ｓｙｓｔｅｍ）のプログラム、アプリケーションプログラム等を記憶する。ＲＡＭは、ＣＰＵ２１の主メモリやワークエリアとして機能する。
【００２２】
記憶部２３は、各種データを記憶する装置であり、例えば、ハードディスクである。記憶部２３は、ＣＰＵ２１が実行するプログラム、プログラム実行に必要なデータ、ＯＳ、各種データベース等が格納される。
【００２３】
表示部２４は、表示装置であり、例えば、ＣＲＴモニタ、液晶パネルである。表示部２４は、コンピュータのビデオ機能を実現するための論理回路（ビデオアダプタ等）を有する。
【００２４】
入力部２５は、各種データの入力装置であり、例えば、キーボード、マウスである。出力部２６は、各種データの出力装置であり、例えば、プリンタである。各種メディアとのデータ入出力を行うドライブ装置を入力部２５及び出力部２６として用いることもできる。
【００２５】
通信部２７は、ネットワーク７を介して外部装置と接続・通信する通信制御装置である。例えば、ＴＣＰ／ＩＰを用いたインターネット通信が可能である。
【００２６】
システムバス２８は、各装置間の制御信号、データ信号等の授受を媒介する経路であり、例えば、ＰＣＩ（Ｐｅｒｉｐｈｅｒａｌ  Ｃｏｍｐｏｎｅｎｔ  Ｉｎｔｅｒｃｏｎｎｅｃｔ）バス、ＡＧＰ（Ａｃｃｅｌｅｒａｔｅｄ  Ｇｒａｐｈｉｃｓ  Ｐｏｒｔ）バス、メモリバスである。
【００２７】
画像合成装置３は、記憶部２３やＲＯＭや記録媒体に格納されるプログラム（アプリケーションプログラム、ＯＳのプログラム等）をメモリ２２のＲＡＭにロードしてＣＰＵ２１の制御の下に、各種処理を実行する。
【００２８】
（２−２．端末装置５）
図３は、端末装置５のハードウェア構成図である。
尚、図３のハードウェア構成は一例であり、用途、目的に応じて様々な構成を採ることが可能である。
【００２９】
端末装置５は、ＣＰＵ３１、メモリ３２、記憶部３３、表示部３４、入力部３５、出力部３６、通信部３７がシステムバス３８を介して接続されて構成される。
端末装置５のハードウェア構成は、図２を用いて前述した画像合成装置３と同様の構成を採る。
画像合成装置３は、記憶部３３やＲＯＭや記録媒体に格納されるプログラム（アプリケーションプログラム、ＯＳのプログラム等）をメモリ３２のＲＡＭにロードしてＣＰＵ３１の制御の下に、各種処理を実行する。
【００３０】
（３．画像合成装置３及び端末装置５が保持する情報）
（３−１．画像合成装置３が保持する情報）
次に、図４を参照しながら、画像合成装置３の記憶部２３が保持する情報について説明する。
図４は、画像合成装置３の記憶部２３が保持する情報を示す図である。
【００３１】
記憶部２３は、複数の素材画像４１、画像合成履歴情報４３、ＯＳ４８、アプリケーションプログラム４９が格納される。
素材画像４１は、画像合成に用いるテンプレート画像である。素材画像４１は、例えば、背景画像、ヘアスタイル画像、ドレス画像、ブーケ画像である。
画像合成履歴情報４３は、画像合成の履歴に関する情報である。画像合成履歴情報４３の詳細については後述する。
ＯＳ４８（Ｏｐｅｒａｔｉｎｇ  Ｓｙｓｔｅｍ）は、画像合成装置３の各構成部分を駆動制御するプログラムである。
アプリケーションプログラム４９は、画像合成装置３の動作を規定する実行プログラムである。
【００３２】
（３−２．端末装置５が保持する情報）
次に、図５を参照しながら、端末装置５の記憶部３３が保持する情報について説明する。
図５は、端末装置５の記憶部３３が保持する情報を示す図である。
【００３３】
記憶部３３は、少なくとも１つの顔画像５１、ＯＳ５８が格納される。
顔画像５１は、素材画像４１との画像合成に用いる画像である。顔画像５１は、例えば、端末装置５の操作者の顔を撮像した画像である。
ＯＳ５８（オペレーティングシステム）は、端末装置５の各構成部分を駆動制御するプログラムである。
【００３４】
（３−３．画像合成履歴情報４３）
次に、図６を参照しながら、画像合成履歴情報４３について説明する。
尚、図６のデータ構成は一例であり、用途、目的に応じて様々な構成を採ることが可能である。
【００３５】
図６は、画像合成履歴情報４３のデータ構造の一態様を示す図である。
画像合成履歴情報４３は、利用者ＩＤ６１、日時６２、選択素材画像（会場）６３、選択素材画像（ドレス）６４、選択素材画像（ヘアスタイル）６５、選択素材画像（ブーケ）６６、画像合成結果データ名６７の各フィールドを有する。
【００３６】
利用者ＩＤ６１は、端末装置５の操作者のＩＤである。利用者ＩＤ６１は、例えば、「Ｕ０１」「Ｕ０２」である。
日時６２は、画像合成履歴の登録日時である。日時６２は、例えば、「２００６年８月１日１０時」である。
【００３７】
選択素材画像６３〜選択素材画像６６は、画像合成に用いた素材画像４１を示す。選択素材画像（会場）６３は、分類「会場」に属する素材画像４１である。選択素材画像（ドレス）６４は、分類「ドレス」に属する素材画像４１である。選択素材画像（ヘアスタイル）６５は、分類「ヘアスタイル」に属する素材画像４１である。選択素材画像（ブーケ）６６は、分類「ブーケ」に属する素材画像４１である。
画像合成結果データ名６７は、画像合成結果の画像データの名称である。当該画像データの参照先を保持するようにしてもよい。画像合成結果データ名６７は、例えば、「Ｇ０１．ｊｐｇ」「Ｇ０２．ｊｐｇ」である。
【００３８】
（４．画像合成システム１の動作）
次に、図７〜図１５を参照しながら、画像合成システム１の動作について説明する。
画像合成システム１は、ＷＷＷ（Ｗｏｒｌｄ  Ｗｉｄｅ  Ｗｅｂ）技術を用いて実現されるものとして説明する。画像合成装置３は、Ｗｅｂサーバを搭載する。端末装置５はＷｅｂブラウザを搭載する。画像合成装置３と端末装置５とは、それぞれ、Ｗｅｂサーバ及びＷｅｂブラウザを介してデータの送受信を行う。
【００３９】
（４−１．画像合成処理）
図７は、画像合成システム１の動作を示すフローチャートである。
図９は、メイン画面７１を示す図である。
画像合成装置３のＣＰＵ２１は、メイン画面７１を端末装置５の表示部３４に表示させる（ステップ１００１）。
【００４０】
図１０は、顔画像選択画面７４を示す図である。
画像合成装置３のＣＰＵ２１は、端末装置５の入力部３５を介してメイン画面７１のボタン７３（「顔画像選択」）が指定（例えば、マウスのクリック操作）されると、顔画像選択画面７４を端末装置５の表示部３４に表示させる。顔画像選択画面７４には、顔画像一覧７５が表示される。
端末装置５のＣＰＵ３１は、入力部３５を介して顔画像一覧７５から顔画像タイトル７７（「顔画像０２」）が選択されボタン７９（「読込」）が指定されると、該当する顔画像５１を記憶部３３から取り出し、画像合成装置３に送る（ステップ１００２）。
【００４１】
図１１は、顔画像画面８１を示す図である。
画像合成装置３のＣＰＵ２１は、顔画像画面８１を端末装置５の表示部３４に表示させる。顔画像画面８１には、顔画像８３、輪郭枠８４、中心軸８５が表示される。画像合成装置３のＣＰＵ２１は、顔画像８３に基づいて、顔輪郭を示す輪郭枠８４及び中心軸８５を自動認識する（ステップ１００３）。
【００４２】
画像合成装置３のＣＰＵ２１は、輪郭枠８４及び中心軸８５及び顔輪郭画像８６を記憶部２３に保持する。尚、顔輪郭画像８６は、輪郭枠８４の範囲内にある肌領域の画像である。
【００４３】
図１２は、画像合成時のメイン画面７１ａを示す図である。
画像合成装置３のＣＰＵ２１は、顔輪郭認識後、再び、メイン画面７１ａを端末装置５の表示部３４に表示させる。メイン画面７１ａには、選択した顔画像９４が表示される。
【００４４】
画像合成装置３のＣＰＵ２１は、端末装置５の入力部３５を介して分類９５及びカテゴリ９７が指定されると、該当する素材画像４１を記憶部２３から検索し、素材画像一覧９９を端末装置５の表示部３４に表示させる。
画像合成装置３のＣＰＵ２１は、端末装置５の入力部３５を介して素材画像一覧９９から素材画像１０１が選択（例えば、マウスのダブルクリック操作）されると、選択素材画像一覧１０３に選択素材画像１０５を追加して、端末装置５の表示部３４に表示させる（ステップ１００４の「画像合成処理」、ステップ１００５）。
【００４５】
尚、選択素材画像一覧１０３には複数の選択素材画像１０５を追加することができるが、分類９５毎に１つだけ選択素材画像１０５を追加することができる。また、端末装置５の入力部３５を介して選択素材画像１０５及びボタン１０６（「削除」）を指定することにより、選択解除して選択素材画像一覧１０３から選択素材画像１０５を削除することができる。
【００４６】
画像合成装置３のＣＰＵ２１は、選択素材画像一覧１０３の各選択素材画像１０５と顔輪郭画像８６とを画像合成する（ステップ１００６）。
画像合成装置３のＣＰＵ２１は、画像合成結果１０７を端末装置５の表示部３４に表示させる（ステップ１００７）。
【００４７】
画像合成装置３のＣＰＵ２１は、端末装置５の入力部３５を介してボタン１０８（「お気に入り追加」）が指定されると（ステップ１００８のＹｅｓ）、利用者ＩＤや日時や選択素材画像１０５及び画像合成結果１０７等を画像合成履歴（お気に入り結果）として追加し、記憶部２３の画像合成履歴情報４３を更新して保存する（ステップ１００９）。
尚、画像合成履歴が所定数（例えば、６個）を超えた場合には、ＦＩＦＯ（Ｆｉｒｓｔ  Ｉｎ  Ｆｉｒｓｔ  Ｏｕｔ）方式により、最も古い画像合成履歴から自動的に削除するようにしてもよい。
【００４８】
画像合成装置３のＣＰＵ２１は、画像合成処理あるいは画像合成履歴処理を継続する場合（ステップ１０１０のＮｏ）、ステップ１００４からの処理を繰り返す。
【００４９】
（４−２．画像合成履歴処理）
図８は、画像合成履歴処理（図７のステップ１０１１）における、画像合成システム１の動作を示すフローチャートである。
図１３は、画像合成履歴一覧画面１１１を示す図である。
【００５０】
画像合成装置３のＣＰＵ２１は、端末装置５の入力部３５を介してボタン１０９（「お気に入り一覧」）が指定されると、画像合成履歴処理を開始する（ステップ１００４の「画像合成履歴処理」、ステップ１０１１）。
【００５１】
画像合成装置３のＣＰＵ２１は、画像合成履歴一覧画面１１１を端末装置５の表示部３４に表示させる。画像合成履歴一覧画面１１１には、画像合成結果１１２及び選択素材画像一覧１１８、チェックボックス１１７が表示される（ステップ２００１）。
【００５２】
画像合成結果１１２及び選択素材画像一覧１１８は、過去の画像合成履歴を示す。画像合成結果１１２として、例えば、画像合成結果１０７の縮小画像が表示される。端末装置５の入力部３５を介してチェックボックス１１７をチェックすることにより、画像合成結果１１２及び選択素材画像一覧１１８が示す画像合成履歴を選択することができる。同時に複数選択することもできる（ステップ２００２）。
【００５３】
図１４は、画像合成結果の再表示を示す図である。図１４（ａ）は、画像合成履歴一覧画面１１１を示し、図１４（ｂ）は、メイン画面７１ｂを示す。
画像合成装置３のＣＰＵ２１は、端末装置５の入力部３５を介してボタン１１３（「再表示」）が指定されると、選択された画像合成履歴について、画像合成結果を、再度、端末装置５の表示部３４に表示させる。画像合成装置３のＣＰＵ２１は、メイン画面７１ｂを端末装置５の表示部３４に表示させる。メイン画面７１ｂには、画像合成結果１１２の詳細画像である画像合成結果１０７ｂが再表示される（ステップ２００３）。
尚、画像合成装置３のＣＰＵ２１は、複数（例えば２つ）の画像合成結果を同時に再表示するようにしてもよい。これにより、異なる画像合成結果を比較することができる。
【００５４】
画像合成装置３のＣＰＵ２１は、端末装置５の入力部３５を介してボタン１１４（「印刷」）が指定されると、選択された画像合成履歴について、画像合成結果１１２の詳細画像を端末装置５の出力部３６に印刷させる（ステップ２００４）。
【００５５】
画像合成装置３のＣＰＵ２１は、端末装置５の入力部３５を介してボタン１１５（「保存」）が指定されると、選択された画像合成履歴について、画像合成結果１１２の詳細画像を画像合成結果データとして端末装置５の記憶部３３に保存させる（ステップ２００５）。
【００５６】
図１５は、画像合成履歴の削除を示す図である。図１５（ａ）は、画像合成履歴一覧画面１１１を示し、図１５（ｂ）は、画像合成履歴一覧画面１１１ａを示す。
画像合成装置３のＣＰＵ２１は、端末装置５の入力部３５を介してボタン１１６（「削除」）が指定されると、選択された画像合成履歴を削除し、記憶部２３の画像合成履歴情報４３を更新する。画像合成装置３のＣＰＵ２１は、画像合成履歴一覧画面１１１ａを端末装置５の表示部３４に表示させる。画像合成履歴一覧画面１１１ｂでは、画像合成結果１１２及び選択素材画像一覧１１８が示す画像合成履歴が削除される（ステップ２００６及びステップ２００７）。
【００５７】
（４−３．）
以上の過程を経て、画像合成システムは、顔画像に基づいて輪郭枠及び中心軸等の顔輪郭を自動認識し、顔画像から顔輪郭画像を取得して保持する。画像合成システムは、選択した１つまたは複数の素材画像と顔輪郭画像とを画像合成して画像合成結果を表示する。
また、画像合成システムは、選択素材画像や画像合成結果を画像合成履歴として保持する。画像合成システムは、画像合成履歴を選択して、画像合成結果の再表示、画像合成結果の印刷、画像合成結果の画像データ保存、画像合成履歴の削除を行う。
【００５８】
（５．効果等）
以上説明したように、本発明の実施の形態によれば、画像合成システムは、選択素材画像や画像合成結果を画像合成履歴として保持するので、過去の画像合成結果を後で利用することができる。画像合成履歴の一覧から選択して、画像合成結果の再表示、画像合成結果の印刷、画像合成結果の画像データ保存、画像合成履歴の削除を行うことができる。また、複数の画像合成結果を同時に再表示して比較することができる。
【００５９】
また、合成用のテンプレートとして素材画像を用いるものとして説明したが、画像データのみならずテキストデータを合成用のテンプレートとして用いることもできる。
また、画像合成システムは、端末装置からネットワーク経由で画像合成装置の機能を利用するものとして説明したが、スタンドアロン構成として単体の画像合成装置により同様の機能を実現することもできる。
【００６０】
以上、添付図面を参照しながら、本発明に係る画像合成装置の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００６１】
【図１】画像合成システム１の構成図
【図２】画像合成装置３のハードウェア構成図
【図３】端末装置５のハードウェア構成図
【図４】画像合成装置３の記憶部２３が保持する情報を示す図
【図５】端末装置５の記憶部３３が保持する情報を示す図
【図６】画像合成履歴情報４３のデータ構造の一態様を示す図
【図７】画像合成システム１の動作を示すフローチャート
【図８】画像合成システム１の動作を示すフローチャート（画像合成履歴処理）
【図９】メイン画面７１を示す図
【図１０】顔画像選択画面７４を示す図
【図１１】顔画像画面８１を示す図
【図１２】画像合成時のメイン画面７１ａを示す図
【図１３】画像合成履歴一覧画面１１１を示す図
【図１４】画像合成結果の再表示を示す図
【図１５】画像合成履歴の削除を示す図
【符号の説明】
【００６２】
１………画像合成システム
３………画像合成装置
５………端末装置
７………ネットワーク
１１………素材画像選択手段
１２………画像合成手段
１３………画像合成結果出力手段
１４………顔画像選択手段
１５………顔輪郭抽出手段
１８………画像合成履歴処理手段
２１、３１………ＣＰＵ
２３、３３………記憶部
２４、３４………表示部
２５、３５………入力部
４１………素材画像
４３………画像合成履歴情報
５１………顔画像
７１、７１ａ、７１ｂ………メイン画面
７４………顔画像選択画面
８１………顔画像画面
８３………顔画像
８４………輪郭枠
８５………中心軸
８６………顔輪郭画像
９５………分類
９７………カテゴリ
９９………素材画像一覧
１０１………素材画像
１０３………選択素材画像一覧
１０５………選択素材画像
１０７………画像合成結果
１１１、１１１ａ………画像合成履歴一覧画面
【図１】
2008060624.tif 000003
【図２】
2008060624.tif 000004
【図３】
2008060624.tif 000005
【図４】
2008060624.tif 000006
【図５】
2008060624.tif 000007
【図６】
2008060624.tif 000008
【図７】
2008060624.tif 000009
【図８】
2008060624.tif 000010
【図９】
2008060624.tif 000011
【図１０】
2008060624.tif 000012
【図１１】
2008060624.tif 000013
【図１２】
2008060624.tif 000014
【図１３】
2008060624.tif 000015
【図１４】
2008060624.tif 000016
【図１５】
2008060624.tif 000017